(57)【要約】【課題】底面カバーのネジを外すことで内蔵ＨＤＤを取り外されて情報が不正に読み出される危険性のある携帯型情報処理装置において、内蔵ＨＤＤの不正な取り外しを防止して、セキュリティの高い携帯型情報処理装置を提供することを目的とする。【解決手段】底面カバー１３を本体部１２に固定するネジ１４を、本体部１２の操作面上に配置するため表示部１１と本体部１２を閉じると表面に露出しない。従って、表示部１１と本体部１２を閉じるとネジを外すことができず内蔵ＨＤＤ１５が取り外されて情報が読み出される危険性を低減できる。【選択図】図１
2007293480.tif 000002
【特許請求の範囲】
【請求項１】
文字、画像などの情報を表示する表示部と装置の本体部を閉じた状態で施錠する機構を備えた携帯型情報処理装置であって、
前記本体部は底部を覆う底部カバーを備え、
前記底部カバーを前記本体に留めるネジは前記表示面と前記本体部を閉じた状態で表面に露出しない位置に配置することを特徴とする携帯型情報処理装置。
【請求項２】
前記ネジは前記底部カバーを前記本体部の操作面上より留めて保持することを特徴とする請求項１に記載の携帯型情報処理装置。
【発明の詳細な説明】
【技術分野】
【０００１】
本発明は、パーソナルコンピュータ（以下、ＰＣ）や携帯端末などの情報機器に内蔵されたデバイスを不正に取り外すことを困難にし、ハードディスクドライブ（以下、ＨＤＤ）などの記憶装置の情報を保護することが可能な高いセキュリティを有する携帯型情報処理装置に関するものである。
【背景技術】
【０００２】
近年、情報セキュリティに対する関心が高く、ＰＣや携帯端末などの盗難による情報漏洩を防ぐために様々なセキュリティ技術が用いられている。
【０００３】
従来、情報機器の記憶装置へのアクセスを制限する手段としてパスワードなどによるＨＤＤロックなど電子的なアクセスを制限する手段は講じられているが、取り外しなどの物理的なアクセスを制限する手段は講じられていない。
【０００４】
また、概してセキュリティは各仕組みがシステムとしてトータルで機能した場合には高い性能を発揮するが、個々のデバイスが取り外されて単独で盗難にあった場合は脆弱であることが多い。
【０００５】
以下に従来の携帯型情報処理装置について説明する。
【０００６】
図２は従来のノートＰＣの構成図であり、図２（ａ）は表示部を開けた状態の斜視図、（ｂ）は表示部を閉じた状態の断面図である。
【０００７】
図２において、１１は表示部、１２は携帯型情報処理装置を操作する操作部を含む本体部、１３は底面カバーであり、セキュリティ、屋外の過酷な環境下での使用に耐えることを目的として堅牢性、耐久性という観点から表示部１１，本体部１２、底面カバー１３を構成する筐体はアルミニウムやマグネシウムの金属で構成されている。２４はネジで、底面カバー１３を本体部１２に固定する。１５は内蔵ＨＤＤで、ネジ２４を外して底面カバー１３を外すことで取り外しが可能である。１６はシリンダー錠、１７はラッチで、表示部１１と本体部１２を閉じた状態でシリンダー錠１６を施錠することでラッチ１７をロックして表示部１１と本体部１２が開かないようにして不正使用を防止する。
【０００８】
以上のように構成された従来のノートＰＣでは、シリンダー錠１６を施錠することで表示部１１と本体部１２を開くことができず、また堅牢性に配慮して金属筐体で構成されているため表示部１１を閉じた状態では所有者以外の不正使用を防止することが可能である。
しかしながら、図２のような構成ではネジ２４をはずして底面カバー１３を外すことは可能である。
【特許文献１】特開２００３−５８２８１号公報
【発明の開示】
【発明が解決しようとする課題】
【０００９】
従来のノートＰＣではＬＣＤなどを使用した表示部とキーボードなどを含む本体部で構成され、不使用時はそれらを重ね合わせて閉じることができる構造が一般的である。
【００１０】
また、情報を保持する内蔵ＨＤＤは本体部の内部に格納され、底面カバーをネジで止めることによりそれら内蔵デバイスを保護する構造をとるのが一般的である。この場合、本来の所有者以外のアクセスを防止するために、表示部と本体部を閉じた状態で施錠をする機構を有していたとしても、底面カバーのネジを外してＨＤＤなどの内蔵デバイスを取り外すことが可能であり、第三者に情報を読み出される危険性があるという問題点を有していた。
【００１１】
本発明は、上記従来の問題点を解決するもので、表示部と本体部を閉じた状態で施錠する機構を有したＰＣにおいて、内蔵デバイスを取り外すことができない携帯型情報処理装置を提供することを目的とする。
【課題を解決するための手段】
【００１２】
本発明の請求項１に記載の発明は、文字、画像などの情報を表示する表示部と装置の本体部を閉じた状態で施錠する機構を備えた携帯型情報処理装置であって、前記本体部は底部を覆う底部カバーを備え、前記底部カバーを前記本体に留めるネジは前記表示面と前記本体部を閉じた状態で表面に露出しない位置に配置するとしたものであり、表示部と本体部を閉じた状態で施錠すると、内蔵デバイスを不正に取り外すことをできなくするという作用を有する。
【発明の効果】
【００１３】
以上のように本発明は、表示部とを閉じた状態で施錠すると、内蔵デバイスを不正に取り外すことが全くできなくなり、高いセキュリティをユーザーに提供するという優れた効果が得られる。
【発明を実施するための最良の形態】
【００１４】
以下、本発明の実施の形態について、図１、図２を用いて説明する。
【００１５】
（実施の形態）
図１は本発明の実施の形態におけるノートＰＣの構成図であり、図１（ａ）は表示部を開けた状態の斜視図、（ｂ）は表示部を閉じた状態の断面図である。
【００１６】
図１において、１１は表示部、１２は携帯型情報処理装置を操作する操作部を含む本体部、１３は底面カバーであり、セキュリティ、屋外の過酷な環境下での使用に耐えることを目的として堅牢性、耐久性という観点から表示部１１，１２、底面カバー１３を構成する筐体はアルミニウムやマグネシウムの金属で構成されている。１４はネジで、底面カバー１３を本体部１２に固定するが、本体部１２の操作面上に配置するため表示部１１と本体部１２を閉じると筐体表面に露出しない。１５は内蔵ＨＤＤで、ネジ１４を外して底面カバー１３を外すことで取り外しが可能である。１６はシリンダー錠、１７はラッチで、表示部１１と本体部１２を閉じた状態でシリンダー錠１６を施錠することでラッチ１７をロックして表示部１１と本体部１２が開かないようにして不正使用を防止する。
【００１７】
以上のように構成されたノートＰＣでは、表示部１１と本体部１２を閉じてシリンダー錠１６の施錠によりラッチ１７をロックするとネジ１４の頭部が隠れてしまうため筐体外部から外すことが全くできなくなる。そのため、従来のように底面カバー１３を外して内蔵ＨＤＤを取り外すことができないため、万一ノートＰＣが盗難に遭っても情報を読み出される危険性が極めて低い。前述したように本実施の形態のノートＰＣは堅牢性、耐久性を考慮して筐体はアルミニウムやマグネシウムの金属で構成されているため、表示部と本体部を閉じた状態で施錠すると、筐体外面にネジなどの筐体を分解する筐体保持手段がない限り内部のデータを記録したデバイスを取り出すのは容易ではない。
【００１８】
以上ように本実施の形態によれば、表示部と本体部を閉じた状態で施錠すると、内蔵デバイスを不正に取り外すことが全くできなくなり、高いセキュリティをユーザーに提供するという優れた効果が得られる。
【００１９】
なお、以上の説明では表示部１１と本体部１２を閉じた状態でロックする仕組みをシリンダー錠１６およびラッチ１７としたが、他の仕組みでも良い。
【産業上の利用可能性】
【００２０】
本発明にかかる携帯型情報処理装置は、表示部と本体部を閉じた状態で施錠すると、内蔵デバイスを不正に取り外すことが全くできなくなり、高いセキュリティをユーザーに提供することができるという効果を有し、重要データを記録したハードディスクドライブなどの記憶装置を内蔵したパーソナルコンピュータや携帯端末などの情報機器のセキュリティ等として有用である。
【図面の簡単な説明】
【００２１】
【図１】本発明の実施の形態におけるノートＰＣの構成図
【図２】従来のノートＰＣの構成図
【符号の説明】
【００２２】
１１  表示部
１２  本体部
１３  底面カバー
１４，２４  ネジ
１５  内蔵ＨＤＤ
１６  シリンダー錠
１７  ラッチ
【図１】
2007293480.tif 000003
【図２】
2007293480.tif 000004